(57)【要約】【課題】従来よりも簡易にインターホン機器を設置することができるインターホン機器の設置構造を提供する。【解決手段】ネジ２１を利用して取付ボックス１１に取付可能であり、取付ボックス１１との前後方向での距離が調整可能な固定枠１２を介して集合玄関機１を設置するため、取付ボックス１１の埋設位置が壁Ｗの表面から離れていたとしても、集合玄関機１を確実に壁面に設置することができる。したがって、取付ボックス１１の埋設位置に従来ほどの精度が求められず、集合玄関機１の設置作業の簡易化を図ることができる。【選択図】図３
2020141163.tif 000002
【特許請求の範囲】
【請求項１】
前面に開口する方体箱状の取付ボックスと、前記取付ボックスの開口側に取り付けられる矩形フレーム状の固定枠とを有し、壁に開設された設置凹部内に前記開口を前方へ向けた姿勢で埋設された前記取付ボックスに対して前記固定枠が取り付けられ、該固定枠にインターホン機器が固定されることで、前記インターホン機器を壁面に設置可能としたインターホン機器の設置構造であって、
取り付け状態における前記固定枠と前記取付ボックスとの前後方向での距離が調整可能であるとともに、
前記固定枠の左右両側辺部及び／又は上下両辺部に、夫々外側へ突出する当接リブが設けられており、前記固定枠が、前記当接リブを前記設置凹部の周囲の壁の表面に当接させた状態で前記取付ボックスに取り付けられることを特徴とするインターホン機器の設置構造。
【発明の詳細な説明】
【技術分野】
【０００１】
本発明は、たとえば集合玄関機等のインターホン機器を壁面に設置するための設置構造に関するものである。
【背景技術】
【０００２】
従来、たとえば集合住宅の玄関に設置される集合玄関機等のインターホン機器は、壁に設置凹部を設けるとともに設置凹部内に取付ボックスを埋設し、該取付ボックスにインターホン機器を固定することによって、壁面に設置されていた。
【先行技術文献】
【特許文献】
【０００３】
【特許文献１】特開２０１４−６８２３７号公報
【発明の概要】
【発明が解決しようとする課題】
【０００４】
上記従来の設置構造によれば、取付ボックスの埋設位置が壁の表面から奥側へ離れすぎていると、インターホン機器を設置できないという状況が起こり得る。したがって、取付ボックスの埋設位置に精度が求められ、設置作業が煩わしいという問題があった。
【０００５】
そこで、本発明は、上記問題に鑑みなされたものであって、従来よりも簡易にインターホン機器を設置することができるインターホン機器の設置構造を提供しようとするものである。
【課題を解決するための手段】
【０００６】
上記目的を達成するために、本発明は、前面に開口する方体箱状の取付ボックスと、取付ボックスの開口側に取り付けられる矩形フレーム状の固定枠とを有し、壁に開設された設置凹部内に開口を前方へ向けた姿勢で埋設された取付ボックスに対して固定枠が取り付けられ、該固定枠にインターホン機器が固定されることで、インターホン機器を壁面に設置可能としたインターホン機器の設置構造であって、取り付け状態における固定枠と取付ボックスとの前後方向での距離が調整可能であるとともに、固定枠の左右両側辺部及び／又は上下両辺部に、夫々外側へ突出する当接リブが設けられており、固定枠が、当接リブを設置凹部の周囲の壁の表面に当接させた状態で取付ボックスに取り付けられることを特徴とする。
【発明の効果】
【０００７】
本発明によれば、取り付け状態における取付ボックスとの前後方向での距離が調整可能な固定枠を介してインターホン機器を壁面に設置するため、取付ボックスの埋設位置が壁の表面から奥側へ離れていたとしても、インターホン機器を確実に壁面に設置することができる。したがって、取付ボックスの埋設位置に従来ほどの精度が求められず、インターホン機器の設置作業の簡易化を図ることができる。
また、固定枠の左右両側辺部及び／又は上下両辺部に、夫々外側へ突出する当接リブを設け、その当接リブを設置凹部の周囲の壁の表面に当接させた状態で、固定枠を取付ボックスに取り付けるため、壁の表面に対する固定枠の位置を容易に安定させることができ、インターホン機器の設置作業の一層の簡易化を図ることができる。
【図面の簡単な説明】
【０００８】
【図１】集合玄関機、固定枠、及び取付ボックスを前側から示した斜視説明図である。
【図２】集合玄関機、固定枠、及び取付ボックスを後側から示した斜視説明図である。
【図３】取付ボックスの埋設位置が壁の表面に近い場合の集合玄関機の設置状態を示した断面説明図である。
【図４】取付ボックスの埋設位置が壁の表面から離れている場合の集合玄関機の設置状態を示した断面説明図である。
【発明を実施するための形態】
【０００９】
以下、本発明の一実施形態となる集合玄関機の壁面への設置構造について、図面のもとづき詳細に説明する。
【００１０】
図１は、集合玄関機１、固定枠１２、及び取付ボックス１１を前側から示した斜視説明図である。図２は、集合玄関機１、固定枠１２、及び取付ボックス１１を後側から示した斜視説明図である。図３は、取付ボックス１１の埋設位置が壁Ｗの表面に近い場合の集合玄関機１の設置状態を示した断面説明図である。図４は、取付ボックス１１の埋設位置が壁Ｗの表面から離れている場合の集合玄関機１の設置状態を示した断面説明図である。
【００１１】
まず集合玄関機１の構造について説明すると、集合玄関機１は、所謂集合住宅インターホンシステムの一部として使用されるものであって、前側に配置される前ケースと、後側に配置される後ケースとで構成される本体ケース２を有しており、本体ケース２の前面上部には、各住戸に設置される住戸端末（図示せず）との間で通話するための通話部４、及び本体ケース２の前方を撮像するためのカメラ部５等が設けられている。一方、本体ケース２の前面下部には、来訪者が居住者を呼び出す際に押し込み操作する呼出ボタン６が設けられており、呼出ボタン６の上部には、呼び出す居室を選択するための操作部７が設けられている。そして、このような集合玄関機１は、集合住宅の玄関の壁面等に設置されており、来訪者により操作部７が操作されて呼び出す住戸が特定された後、呼出ボタン６が操作されると、対応する住戸の住戸端末を呼び出すとともに、カメラ部５を作動させて来訪者を撮影する。尚、８は、本体ケース２の前面に取り付けられる化粧カバーである。
【００１２】
次に集合玄関機１の壁面への設置構造について説明すると、集合玄関機１は、後述するような取付ボックス１１及び固定枠１２を介して壁面へ設置される。取付ボックス１１は、従来同様に壁内へ埋設されるものであって、上面、下面、背面、及び左右側面を有し、前面に開口する方体箱状で、本体ケース２の後部を収容可能な大きさとされている。また、取付ボックス１１の内部には、金属製の取付板１３、１３が、取付ボックス１１の背面から左右両側面の内面に沿って取り付けられている。各取付板１３は、前端が左右方向で内側に折り曲げられており、該折り曲げ部１３ａの上部と下部とには、固定枠１２を取り付けるための取付孔１３ｂが穿設された取付片１３ｃ、１３ｃが設けられている。
【００１３】
一方、固定枠１２は、上辺部、下辺部、及び左右両側辺部を有する金属製の矩形フレーム体であって、各辺部が取付ボックス１１の開口側の内面（上面、下面、及び左右両側面）に夫々沿うような状態で、取付ボックス１１内に収容可能な大きさとされている。また、固定枠１２の上辺部及び下辺部には、固定枠１２の上下方向で内側へ突出する固定片１４が突設されており、各固定片１４の左右方向で略中央となる箇所には、集合玄関機１を固定するためのネジ孔１５が穿設されている。さらに、固定枠１２の左右両側辺部で、取付ボックス１１内への収容時に取付片１３ｃ、１３ｃと対向する箇所には、後方へ突出するとともに先端（後端）が左右方向で夫々内側へ折り曲げられてなる取付腕１６、１６が設けられている。加えて、固定枠１２の左右両側辺部の前端には、左右方向で夫々外側へ突出する当接リブ１７が設けられている。なお、各取付腕１６の先端（折り曲げ部）には、固定枠１２を取付板１３、１３にネジ止めするための取付孔１８が穿設されている。また、集合玄関機１の本体ケース２の上部及び下部には、固定片１４、１４にネジ止めするネジ（図示せず）を挿通可能な挿通孔１０を有し、該ネジのネジ頭を収納可能とした凹部９が夫々設けられている。
【００１４】
そして、上記取付ボックス１１及び固定枠１２を利用して集合玄関機１を壁面に設置するにあたっては、まず壁Ｗに設置凹部２０を開設し、該設置凹部２０内（すなわち壁内）に前面開口が前方を向く姿勢で取付ボックス１１を埋設する。次に、当接リブ１７、１７を壁Ｗの設置凹部２０周囲の表面に当接させつつ固定枠１２を取付ボックス１１内に収容し、ネジ２１によって取付片１３ｃと取付腕１６とを連結することにより、取付ボックス１１に固定枠１２を取り付ける。その後、本体ケース２を固定枠１２内に嵌め込んで固定片１４、１４にネジ止めし、固定枠１２に集合玄関機１を固定すれば、集合玄関機１の壁面への設置作業は完了となる。
【００１５】
上述したような集合玄関機１の壁面への設置に係り、取付ボックス１１の埋設位置が壁Ｗの表面に近い場合には図３に示すような設置状態となる一方、壁Ｗの表面から奥側へ離れている場合には図４に示すような設置状態となる。すなわち、ネジ２１の取付ボックス１１側へのねじ込み量の違いにより、取付ボックス１１の埋設位置に応じて固定枠１２と取付板１３、１３との前後方向での距離（具体的には取付腕１６の先端と取付片１３ｃとの前後方向での距離）は変わるものの、集合玄関機１は常に壁Ｗの表面に設置されることになる。
【００１６】
以上のような構成を有する集合玄関機１の設置構造によれば、ネジ２１を利用して取付ボックス１１に取付可能であり、ネジ２１の取付ボックス１１側へのねじ込み量の違いにより取付ボックス１１との前後方向での距離が調整可能な固定枠１２を介して集合玄関機１を設置するため、取付ボックス１１の埋設位置が壁Ｗの表面から離れていたとしても、集合玄関機１を確実に壁面に設置することができる。したがって、取付ボックス１１の埋設位置に従来ほどの精度が求められず、集合玄関機１の設置作業の簡易化を図ることができる。
【００１７】
また、固定枠１２の左右両側辺部に、夫々左右方向で外側へ突出する当接リブ１７を設け、その当接リブ１７を設置凹部２０の周囲の壁Ｗの表面に当接させた状態で、固定枠１２を取付ボックス１１に取り付けるため、壁Ｗの表面に対する固定枠１２の位置を容易に安定させることができ、集合玄関機１の設置作業の一層の簡易化を図ることができる。
【００１８】
なお、本発明に係るインターホン機器の設置構造は、インターホン機器の全体的な構成は勿論、取付ボックスや固定枠に係る構成等についても、本発明の趣旨を逸脱しない範囲で必要に応じて適宜変更することができる。
【００１９】
たとえば上記実施形態では集合玄関機の設置について説明しているが、本発明は、インターホン子機等の他のインターホン機器の設置構造としても好適に採用することができる。
また、上記実施形態では、固定枠の左右両側辺部に当接リブを設けているが、左右両側辺部に代えて上下両辺部に当接リブを設けてもよいし、上下左右全ての辺部に当接リブを設けても何ら問題はない。
さらに、上記実施形態では、ネジを利用することで取付ボックスと固定枠との前後方向での距離を調整可能としているが、たとえば固定枠側にラックギア状の複数の歯を、取付ボックスに歯が係止可能な係止孔を夫々設け、係止孔に係止させる歯を変更することで、取付ボックスと固定枠との前後方向での距離を調整可能としてもよく、どのような機構によって取付ボックスと固定枠との前後方向での距離を調整するかについては適宜設計変更可能である。
【符号の説明】
【００２０】
１・・集合玄関機（インターホン機器）、２・・本体ケース、９・・凹部、１０・・挿通孔、１１・・取付ボックス、１２・・固定枠、１３・・取付板、１３ａ・・折り曲げ部、１３ｂ・・取付孔、１３ｃ・・取付片、１４・・固定片、１５・・ネジ孔、１６・・取付腕、１７・・当接リブ、１８・・取付孔、２０・・設置凹部、２１・・ネジ。
【図１】
2020141163.tif 000003
【図２】
2020141163.tif 000004
【図３】
2020141163.tif 000005
【図４】
2020141163.tif 000006